(57)【要約】【課題】舌状部の基材が側壁面に当接することによる折れ曲がり、特に下折れを防止してある程度の蛇行や斜行操作が許容可能な転写具の転写部構造を提供することを目的とする。【解決手段】転写媒体が塗布された基材が送り出される側の面（舌状部１Ａの下面）、転写媒体を被転写体に転写した後の基材を巻き取る側の面（舌状部１Ａの上面）、の一方面又は両面と、基材の送り出し方向と直交する側壁面１Ｂと、により形成される角部Ｃを、曲面又は斜面とした。蛇行や斜行させた際には、基材の幅方向端部が曲面又は斜面に乗り上がることとなり、下折れは確実に防止される。【選択図】　　　　図１
2004009546.tif 000002
【特許請求の範囲】
【請求項１】
薄膜で長尺帯状の基材に塗布された転写媒体を被転写体に転写する舌状の転写部を備えた転写具の前記転写部構造であって、転写媒体が塗布された基材が送り出される側の面、転写媒体を被転写体に転写した後の基材を巻き取る側の面、の一方面又は両面と、基材の送り出し方向と直交する側壁面と、により形成される角部を、曲面又は斜面としたことを特徴とする転写具の転写部構造。
【発明の詳細な説明】
【０００１】
【発明の属する技術分野】
本発明は、舌状の転写部における側壁面に基材が当接することによる折れ曲がり、特に下折れを防止してある程度の蛇行や斜行操作が許容可能な転写具の転写部構造に関するものである。
【０００２】
【従来の技術】
近年、例えば液状の修正液に代って、適量を容易に使用できる使い易さなどといった利点から、修正用の白色の転写媒体を紙などの被転写体に転写する転写具が普及している。この種の転写具は、筐体内に送出軸部、巻取軸部を備えると共に、筐体からその先端を突出させて舌状の転写部を備えている。送出軸部は、転写媒体を塗布した長尺帯状の基材をその回転により送り出す。巻取軸部は、被転写体に転写媒体を転写した後の基材をその回転により巻き取る。
【０００３】
これら巻取軸部と送出軸部は例えばギヤで噛合しており、基材の送り出しによる送出軸部の回転に伴って巻取軸部も回転する。転写部は、転写媒体を塗布した基材を送出軸部から送り出し、被転写体に転写媒体を転写し、その後該基材を巻取軸部へ送る役割を果たす。
【０００４】
この種の転写具は、限られた筐体内の空間にできる限り多くの（長い）基材に転写媒体を塗布することで、長期に亘って使用でき、使用者に割安感を与えることができる。そのために昨今の転写具は、基材の薄膜化を図る傾向にある。
【０００５】
【発明が解決しようとする課題】
しかしながら、上記したように基材を薄膜化すると強度が低下するために、図６に示す従来の舌状の転写部構造では次の問題が生じる。すなわち、正常に直線状に操作している場合は、図６（ａ）のように転写部６の舌状板部分６Ａ（以下、舌状部６Ａという）における幅方向中央に基材Ｐが位置するが、転写具を蛇行又は斜行操作した場合、図６（ｂ）（ｃ）に示すように基材Ｐの幅方向端部が、舌状部６Ａにおける側壁面６Ｂに当接して幅中央方向に折れ曲がることがある。
【０００６】
基材Ｐが側壁面６Ｂに当接することによる折れ曲がりは、図６（ｂ）に示すように折れ曲がった側が基材Ｐの上面側に乗り上げる場合（以下、これを上折れという）と、図６（ｃ）に示すように折れ曲がった側が基材Ｐにおける舌状部６Ａ側に入り込む場合（以下、これを下折れという）、の二種類がある。
【０００７】
このうち、図６（ｂ）に示す上折れは使用するうちに折れ曲がりが解消することがあるが、図６（ｃ）に示す下折れは、使用するうちに折れ曲がりを解消することが極めて困難であった。また、仮に使用するうちに下折れが解消できるとしても、その間に転写媒体の異常転写を大量に発生させることとなり、極めて不経済であった。
【０００８】
本発明は、上記の問題を解決するものであり、舌状部の基材が側壁面に当接することによる折れ曲がり、特に下折れを防止してある程度の蛇行や斜行操作が許容可能な転写具の転写部構造を提供することを目的とする。
【０００９】
【課題を解決するための手段】
上記の目的を達成するために、本発明は、転写媒体が塗布された基材が送り出される側の面（舌状部の下面）、転写媒体を被転写体に転写した後の基材を巻き取る側の面（舌状部の上面）、の一方面又は両面と、基材の送り出し方向と直交する側壁面と、により形成される角部を、曲面又は斜面としたのである。このようにすることで、蛇行や斜行させた際には、基材の幅方向端部が曲面又は斜面に乗り上がることとなり、下折れは確実に防止される。
【００１０】
【発明の実施の形態】
従来は、舌状部と側壁面とで構成される角部が直角となっていた。従って蛇行や斜行操作により、舌状部の幅方向端部に基材が移動し、その結果、側壁面に基材の幅方向端部が接触して、幅方向端部が損傷すると共に上折れ又は下折れが生じていた。
【００１１】
また、このときに基材の幅方向端部が側壁面に摺接する。そして、この摺接時に、まず幅方向端部が側壁面における基材の送出方向後端部に引っ掛かり、送出方向に走行しようとする基材の全体に対して、基材の幅方向端部が送出方向後方に係留してしまう。従って基材の幅方向端部が損傷する。
【００１２】
その後、基材は、舌状部の下面から上面へと送られる。角部に引っ掛かっていた基材の幅方向端部は、このときの引っ掛かり具合によって上折れ又は下折れが発生する。上折れの場合は、若干の使用により、又は使用者が手で直すことにより解消することができる。
【００１３】
しかし、下折れの場合は、使用者が手で直すことも、使用によっても解消することが非常に困難である。下折れは、折れ曲がった基材の幅方向端部が、基材の幅方向中央と転写部の上面及び下面との間に入り込んでしまう。そして、基材には送出側と巻取側との間で張力がかかっているから、基材の幅方向端部は、一旦下折れが発生すると完全に折れ曲がってしまい、解消することが非常に困難なのである。
【００１４】
こうした従来に対して、本発明は、薄膜で長尺帯状の基材に塗布された転写媒体を被転写体に転写する舌状の転写部を備えた転写具の前記転写部構造であって、転写媒体が塗布された基材が送り出される側の面、転写媒体を被転写体に転写した後の基材を巻き取る側の面、の一方面又は両面と、基材の送り出し方向と直交する側壁面と、により形成される角部を、曲面又は斜面としたのである。
【００１５】
このようにすることで、基材は、側壁面に摺接しようとすると、角部の曲面又は斜面に案内されて基材の上面側に折れ曲がろうとし、少なくとも下折れが確実に防止される。もちろん、実質的に基材の幅方向への移動範囲が拡大することになるため、蛇行や斜行による基材幅方向端部の損傷や折れ曲がり自体を抑制することが可能となる。
【００１６】
【実施例】
以下に本発明の転写具の転写部構造における実施例と効果について図１〜図５を参照して説明する。図１は本発明の転写具の転写部構造を示す。図２〜図５は、本発明の転写具の転写部構造の他の例を示す。
【００１７】
１は、不図示の送出軸部、巻取軸部を備えた転写具の転写部である。なお、転写具１は、送出軸部から転写媒体を塗布した長尺帯状の基材をその回転により送り出し、巻取軸部は、被転写体に転写媒体を転写した後の基材をその回転により巻き取るものである。
【００１８】
転写部１は、舌状部１Ａが形成された部分が筐体外に突出している。転写部１は、舌状部１Ａの下面に送出軸部から送られる転写媒体が塗布された不図示の基材が、舌状部１Ａの上面に転写媒体を被転写体に転写した後の基材が、架設される。
【００１９】
図１（ｂ）に示すように、舌状部１Ａの幅方向両端部には、基材が舌状部１Ａから脱線しないようにガイドする側壁面１Ｂが形成されている。そして、転写部１は、舌状部１Ａと側壁面１Ｂとで形成される角部Ｃが以下のように、斜面又は曲面とされている。
【００２０】
図１は、舌状部１Ａの上面と下面の両面の角部Ｃが、斜面とされた例を示す（図３（ａ）と重複）。図２（ａ）は舌状部１Ａの上面と下面の角部Ｃが、図２（ｂ）は舌状部１Ａの上面の角部Ｃが、図２（ｃ）は舌状部１Ａの下面の角部Ｃが、各々曲面とされた例を示す。
【００２１】
図３（ａ）は舌状部１Ａの上面と下面の角部Ｃが、図３（ｂ）は舌状部１Ａの上面の角部Ｃが、図３（ｃ）は舌状部１Ａの下面の角部Ｃが、各々斜面とされた例を示す。
【００２２】
図４（ａ）は角部Ｃを含む舌状部１Ａの上面と下面が、図４（ｂ）は角部Ｃを含む舌状部１Ａの上面が、図４（ｃ）は角部Ｃを含む舌状部１Ａの下面が、各々円弧状（角部Ｃのみについて見れば曲面）とされた例を示す。
【００２３】
図５は、図１〜図４に示した舌状部１Ａの厚みが一定となった場合において、舌状部１Ａの先端部に向けて角部Ｃの例えば斜度が小さくなる場合を示す。なお、図５（ａ）（ｂ）は、図１（ａ）（ｂ）及び図３（ａ）に示した舌状部１Ａの上面と下面の角部Ｃが各々斜面とされた状態を一例として示すが、当然に図２（ａ）（ｂ）（ｃ）、図３（ｂ）（ｃ）、図４（ａ）（ｂ）（ｃ）においては、各々舌状部１Ａの先端部に向けて曲率を小さくして適用する。
【００２４】
以下に、本発明の転写具の転写部構造についての効果を確認するために行った実験の結果を記す。
【００２５】
実験方法
幅６ｍｍの舌状部１Ａの角部Ｃを、実施例１〜５、及び比較例のように形成して、これら各々についてそれぞれ５個の転写具を蛇行操作して消費開始から消費終了に至るまで使用する。このときに基材の折れ曲がり頻度を検証した。
【００２６】
実験条件
基材は、厚みが１２μｍ、材質がＰＥＴである。基材の寸法は、幅６ｍｍ×送出（巻取）方向の長さ８ｍである（実施例５についてのみ幅５ｍｍとした）。この基材上に塗布された転写媒体の厚みは、転写媒体自体と、基材と該転写媒体とを貼着しておく粘着層と、の総厚が４０μｍである。
【００２７】
各例の仕様
実施例１：図２（ａ）に示す構造
角部ＣはＲ＝０．５ｍｍの曲面
実施例２：図１及び図３（ａ）に示す構造
角部Ｃは舌状部１Ａの中央部へ０．５ｍｍ、側壁面１Ｂの上方、下方へ各々０．５ｍｍ、の位置を結んだ斜面
【００２８】
実施例３：図２（ｃ）に示す構造
角部ＣはＲ＝０．５ｍｍの曲面
実施例４：図２（ｂ）に示す構造
角部ＣはＲ＝０．５ｍｍの曲面
【００２９】
実施例５：図２（ａ）に示す構造
角部ＣはＲ＝０．５ｍｍの曲面
幅５ｍｍの基材（転写媒体）を用いた
比較例　：従来の構造
角部は直角
【００３０】
以上の結果、実施例１〜実施例５、つまり本発明の転写部１の構造であれば、各実施例において５個の転写具を蛇行操作によって使い切るまでに１度として折れ曲がりは発生しなかった。これに対して比較例、つまり従来の構造では、頻繁に折れ曲がり（上折れ、下折れ）が発生した。この結果、本発明の転写具の転写部構造は、基材の折れ曲がり防止に極めて効果的であることが判明した。
【００３１】
【発明の効果】
以上のように、本発明の転写具の転写部構造は、転写媒体が塗布された基材が送り出される側の面、転写媒体を被転写体に転写した後の基材を巻き取る側の面、の一方面又は両面と、基材の送り出し方向と直交する側壁面と、により形成される角部を、曲面又は斜面としたので、基材が側壁面に摺接しても角部の曲面又は斜面に案内されて基材の上面に折れ曲がろうとし、少なくとも下折れが確実に防止されると共に、基材の幅方向への移動範囲が拡大することになるため、蛇行や斜行による基材幅方向端部の損傷や折れ曲がり自体を抑制することができる。
【図面の簡単な説明】
【図１】本発明の転写具の転写部構造を示し、（ａ）は側面方向から見た図、（ｂ）は（ａ）の正面方向から見た図、である。
【図２】本発明の転写具の転写部構造の他の例を示し、（ａ）は舌状部の上下面の角部が曲面とされた図、（ｂ）は舌状部の上面の角部が曲面とされた図、舌状部の下面の角部が曲面とされた図、である。
【図３】本発明の転写具の転写部構造の他の例を示し、（ａ）は舌状部の上下面の角部が斜面とされた図、（ｂ）は舌状部の上面の角部が斜面とされた図、舌状部の下面の角部が斜面とされた図、である。
【図４】本発明の転写具の転写部構造の他の例を示し、（ａ）は角部を含む舌状部の上下面が曲面（円弧状）とされた図、（ｂ）は角部を含む舌状部の上面が曲面（円弧状）とされた図、（ｃ）角部を含む舌状部の下面が曲面（円弧状）とされた図、である。
【図５】本発明の転写具の転写部構造の他の例を示し、（ａ）は側面方向から見た図、（ｂ）は（ａ）の正面方向から見た図、である。
【図６】従来の転写具の転写部構造を示し、（ａ）は基材の正常走行状態を、（ｂ）は基材の上折れ状態を、（ｃ）は基材の下折れ状態を、各々示す図である。
【符号の説明】
１　転写部
１Ａ　舌状部
１Ｂ　側壁面
Ｃ　角部
【図１】
2004009546.tif 000003
【図２】
2004009546.tif 000004
【図３】
2004009546.tif 000005
【図４】
2004009546.tif 000006
【図５】
2004009546.tif 000007
【図６】
2004009546.tif 000008